(57)【要約】【課題】コンパクト化を図りつつ、色収差をはじめとする諸収差が良好に補正され、画像の読み取りを行うのに適した光学性能を得ることができるようにした画像読取用レンズおよび画像読取装置を提供する。【解決手段】物体側から順に、物体側に凸面を向けたレンズＬ１と、像側に凹面を向けたレンズＬ２とからなる接合レンズを含む第１レンズ群Ｇ１と、物体側に凸面を向けたレンズＬ３を含む第２レンズ群Ｇ２と、絞りＫと、像側に凸面を向けたレンズＬ４を含む第３レンズ群Ｇ３と、物体側に凹面を向けたレンズＬ５と、像側に凸面を向けたレンズＬ６とからなる全体として負の屈折力の接合レンズを含む第４レンズ群Ｇ４とを配設し、さらに、所定の条件式（１）ないし条件式（７）を満足するように構成したので、コンパクト化を達成しつつ、画像の読み取りを行うのに適した光学性能を得ることができる。【選択図】        図２
2005010197.tif 000002
【特許請求の範囲】
【請求項１】
物体側から順に、
物体側に凸面を向けた正のメニスカスレンズと、像側に凹面を向けた負のメニスカスレンズとからなる接合レンズを含む第１レンズ群と、
物体側に凸面を向けた正のメニスカスレンズを含む第２レンズ群と、
絞りと、
像側に凸面を向けた正のメニスカスレンズを含む第３レンズ群と、
物体側に凹面を向けた負のメニスカスレンズと、像側に凸面を向けた正のメニスカスレンズとからなる全体として負の屈折力の接合レンズを含む第４レンズ群と
が配設され、さらに、下記の条件式（１）ないし条件式（７）を満足するように構成されている
ことを特徴とする画像読取用レンズ。
０．９３＜ｎ１／ｎ２＜１．０８  ……（１）
１４．０＜ν１−ν２  ……（２）
１．０５＜Ｒ１／Ｒ３＜１．３３  ……（３）
０．７０＜（Ｄ３５）／（Ｄ６８）＜１．１１  ……（４）
−２０．０＜ｆ４／ｆ＜−１．５  ……（５）
０．００８＜（Ｒ５／Ｒ７）・Ｍ／（Ｆｅ）２  ＜０．０２５  ……（６）
２．１＜Ｒ７／Ｒ９＜２．７  …（７）
但し、
ｎ１：第１レンズ群における正のメニスカスレンズのｄ線に対する屈折率
ｎ２：第１レンズ群における負のメニスカスレンズのｄ線に対する屈折率
ν１：第１レンズ群における正のメニスカスレンズのアッベ数
ν２：第１レンズ群における負のメニスカスレンズのアッベ数
Ｒ１：第１レンズ群における正のメニスカスレンズの物体側の曲率半径
Ｒ３：第１レンズ群における負のメニスカスレンズの像側の曲率半径
Ｄ３５：第１レンズ群における最も像側の面から絞りまでの面間隔
Ｄ６８：絞りから第４レンズ群における最も物体側の面までの面間隔
ｆ４：第４レンズ群の焦点距離
ｆ：全系の焦点距離
Ｒ５：第２レンズ群における正のメニスカスレンズの像側の曲率半径
Ｒ７：第３レンズ群における正のメニスカスレンズの物体側の曲率半径
Ｍ：倍率
Ｆｅ：実効Ｆナンバー
Ｒ９：第４レンズ群における負のメニスカスレンズの物体側の曲率半径
とする。
【請求項２】
さらに、前記第１レンズ群の負のメニスカスレンズの異常分散性および前記第４レンズ群の負のメニスカスレンズの異常分散性のうちの少なくとも一方が、下記の条件式（８）を満足するように構成されている
ことを特徴とする請求項１に記載の画像読取用レンズ。
−０．０１００＜δθｇ，Ｆ  ＜０．００４０  ……（８）
但し、δθｇ，Ｆ  は異常分散性である。
【請求項３】
さらに、前記第１レンズ群の正のメニスカスレンズにおける異常分散性および前記第４レンズ群の正のメニスカスレンズにおける異常分散性のうちの少なくとも一方が、下記の条件式（９）を満足するように構成されている
ことを特徴とする請求項１または請求項２に記載の画像読取用レンズ。
−０．００２＜δθｇ，Ｆ  ＜０．０１５  ……（９）
但し、δθｇ，Ｆ  は異常分散性である。
【請求項４】
請求項１ないし請求項３のいずれか１項に記載の画像読取用レンズを備えたことを特徴とする画像読取装置。
【発明の詳細な説明】
【０００１】
【発明の属する技術分野】
本発明は、例えばイメージスキャナなどの画像読取装置およびそれに搭載される画像読取用レンズに関する。
【０００２】
【従来の技術】
従来より、ネガフィルムまたはポジフィルム等のカラー原稿の画像を、読み取り光学系を介して、例えばＣＣＤ（電荷結合素子）のような固体撮像素子上に結像させることにより、その画像情報を読み取るようにした画像読取装置が使用されている。このような画像読取装置の光学系として利用される画像読取レンズとしては、例えば、以下の特許文献１ないし特許文献５に記載のものがある。
【０００３】
このような画像読取装置の光学系に利用される画像読取用レンズ（以下、単に読取用レンズと記す。）は、近年、受光素子の高密度化に伴って、より解像力の高いものが求められるようになっている。特に、例えば１つのＣＣＤのみでカラー画像を読み取るようにした画像読取装置に利用される読取用レンズについては、赤（Ｒｅｄ  ＝Ｒ）、緑（Ｇｒｅｅｎ  ＝Ｇ）および青（Ｂｌｕｅ＝Ｂ）の各色の画像の結像位置がＣＣＤの受光面で合致するように、各色に対して良好に色消し処理されている必要があり、各色の解像力が素子上で同程度になるよう保たれていることが望ましい。より具体的には、読取用レンズには、ＲＧＢ各色の軸上色収差および倍率色収差を小さくし、さらに、原稿の中心から周辺までの像をほぼ光軸と垂直な平面上に一致するように結像可能な結像性能が必要とされる。読取用レンズがこのような結像性能を満足することにより、ＲＧＢ各色で高コントラストな像を得ることができる。
【０００４】
【特許文献１】
特開平３−１２１４０９号公報
【特許文献２】
特開平５−５３０５２号公報
【特許文献３】
特開平６−１０９９７１号公報
【特許文献４】
特開平８−２８６１０７号公報
【特許文献５】
特開平１１−２７１６１２号公報
【０００５】
【発明が解決しようとする課題】
ところが、読取用レンズにおける軸上色収差の補正量が足りないと、各色の像点がずれてしまう。このため、ＲＧＢ各色が単独で高コントラストな像を得ていたとしても、結像位置によってはＲＧＢ毎のコントラストに差が現れてしまうという問題が生ずる。また、読取用レンズに対しては、高解像力であることのほか、よりコンパクトであることも求められている。コンパクト化を図るには、読取用レンズのサイズ自体を小型化するのに加え、焦点距離を短くし、共役長（共役距離）を短くすることが必要である。
【０００６】
しかしながら、上記特許文献１および特許文献２に記載の読取用レンズは、十分に色収差が補正されているとは言い難く、コンパクト化も不十分である。上記特許文献３ないし特許文献５に記載の読取用レンズは、色収差については補正されているものの、コンパクト化については不十分である。
【０００７】
本発明はかかる問題点に鑑みてなされたもので、その目的は、コンパクト化を図りつつ、色収差をはじめとする諸収差が良好に補正され、画像の読み取りを行うのに適した光学性能を得ることができるようにした画像読取用レンズおよび画像読取装置を提供することにある。
【０００８】
【課題を解決するための手段】
本発明の画像読取用レンズは、物体側から順に、物体側に凸面を向けた正のメニスカスレンズと、像側に凹面を向けた負のメニスカスレンズとからなる接合レンズを含む第１レンズ群と、物体側に凸面を向けた正のメニスカスレンズを含む第２レンズ群と、絞りと、像側に凸面を向けた正のメニスカスレンズを含む第３レンズ群と、物体側に凹面を向けた負のメニスカスレンズと、像側に凸面を向けた正のメニスカスレンズとからなる全体として負の屈折力の接合レンズを含む第４レンズ群とが配設され、さらに、
０．９３＜ｎ１／ｎ２＜１．０８  ……（１）
１４．０＜ν１−ν２  ……（２）
１．０５＜Ｒ１／Ｒ３＜１．３３  ……（３）
０．７０＜（Ｄ３５）／（Ｄ６８）＜１．１１  ……（４）
−２０．０＜ｆ４／ｆ＜−１．５  ……（５）
０．００８＜（Ｒ５／Ｒ７）・Ｍ／（Ｆｅ）２  ＜０．０２５  ……（６）
２．１＜Ｒ７／Ｒ９＜２．７  …（７）
で表される条件式（１）ないし条件式（７）を満足するように構成したものである。但し、第１レンズ群における正のメニスカスレンズのｄ線に対する屈折率およびアッベ数をｎ１，ν１、第１レンズ群における負のメニスカスレンズのｄ線に対する屈折率およびアッベ数をｎ２，ν２、第１レンズ群における正のメニスカスレンズの物体側の曲率半径をＲ１、第１レンズ群における負のメニスカスレンズの像側の曲率半径をＲ３、第１レンズ群における最も像側の面から絞りまでの面間隔をＤ３５、絞りから第４レンズ群における最も物体側の面までの面間隔をＤ６８、第４レンズ群の焦点距離をｆ４、全系の焦点距離をｆ、第２レンズ群における正のメニスカスレンズの像側の曲率半径をＲ５、第３レンズ群における正のメニスカスレンズの物体側の曲率半径をＲ７、倍率をＭ、実効ＦナンバーをＦｅ、第４レンズ群における負のメニスカスレンズの物体側の曲率半径をＲ９とする。
【０００９】
また、本発明の画像読取装置は、上記画像読取用レンズを備えるようにしたものである。
【００１０】
ここで、本発明の画像読取用レンズまたは画像読取用装置は、さらに、第１レンズ群の負のメニスカスレンズの異常分散性および第４レンズ群の負のメニスカスレンズの異常分散性のうちの少なくとも一方が、
−０．０１００＜δθｇ，Ｆ  ＜０．００４０  ……（８）
で表される条件式（８）を満足するように構成されていることが望ましい。但し、δθｇ，Ｆ  は異常分散性である。
【００１１】
また、本発明の画像読取用レンズまたは画像読取用装置は、さらに、第１レンズ群の正のメニスカスレンズおよび第４レンズ群の正のメニスカスレンズのうちの少なくとも一方が、
−０．００２＜δθｇ，Ｆ  ＜０．０１５  ……（９）
で表される条件式（９）を満足するように構成されていることが望ましい。但し、δθｇ，Ｆ  は異常分散性である。この異常分散性δθｇ，Ｆ  は、ｇ線、Ｆ線およびＣ線に対する屈折率をそれぞれｎｇ，ｎＦ，ｎＣとして、
θｇ，Ｆ  ＝（ｎｇ−ｎＦ）／（ｎＦ−ｎＣ）
で定義されるｇ線、Ｆ線の部分分散比θｇ，Ｆ  の基準線からの偏差を表すものであり、材料固有の値である。ここで、基準線とは、例えば、ショット社の２つの硝材Ｋ７およびＦ２などの基準材料における部分分散比θｇ，Ｆ  を縦軸とし、アッベ数νｄを横軸としたグラフ上で、２つの硝材Ｋ７およびＦ２の各座標点を結ぶことによって得られる直線である。
【００１２】
本発明による画像読取用レンズでは、上記のような構成とすることにより、画像の読取に適した性能が得られる。すなわち、第１および第２レンズ群が集束作用を有する一方で第３および第４レンズ群が発散作用を有するように構成されることにより、全系のペッツバール値が適切な値に補正され、さらに、各構成要素の曲率半径や屈折率、あるいは焦点距離や面間隔に適切な値が与えられるので、諸収差がバランスよく補正されつつ、従来に比べて小型化が図られる。また、本発明の画像読取装置では、このような画像読取用レンズを介して得られた高品質の画像が読み取られる。
【００１３】
【発明の実施の形態】
以下、本発明の実施の形態について図面を参照して詳細に説明する。
【００１４】
図１に示した本発明の一実施の形態に係る画像読取装置１０は、透過原稿式の画像読取装置であり、例えばネガフィルムまたはポジフィルム等の原稿２が載置される原稿載置台３と、原稿載置台３に向けて照明光を発する光源７と、原稿２の画像を撮像する撮像素子４と、原稿２の画像を撮像素子４の撮像面上に結像させる画像読取用の読取レンズ１とを備えている。撮像素子４は、例えばＣＣＤ等からなる。この画像読取装置１０において、原稿２と読取レンズ１との間には、必要に応じて、原稿２を原稿載置台３側に押さえ付けるための原稿押さえガラスまたはフィルタ等の光学素子５が配置される。また、画像読取装置１０において、読取レンズ１と撮像素子４との間には、必要に応じて、撮像素子４を保護するためのカバーガラス等の光学素子６が配置される。この画像読取装置１０では、光源７から原稿２に向けて照明光が照射される。原稿２を透過した光が読取レンズ１によって撮像素子４上に結像される。読取レンズ１を介して得られた原稿２の透過画像が、撮像素子４によって撮像されて読み取られる。
【００１５】
図２は、本実施の形態に係る読取レンズ１のレンズ構成の概略を示すものであり、光軸Ｚ１を含む断面における各レンズ要素の断面構造を示している。なお、図２において、符号Ｚｏｂｊ  で示す側が物体側、すなわち、原稿２が配置され、読み取り用の画像が提供される側である。また、図２において、符号Ｚｉｍｇ  で示す側が結像側、すなわち、物体側の画像が結像される側である。読取レンズ１の結像面Ｓｉｍｇ  には、撮像素子４の撮像面が配置される。図２において、符号Ｐは、読取レンズ１の中心結像位置を示す。符号Ｒｉは、物体側から第ｉ番目のレンズ面Ｓｉの曲率半径を示し、符号Ｄｉは、物体側から第ｉ番目のレンズ面と第ｉ＋１番目のレンズ面との光軸上の面間隔を示す。但し、図２において、符号Ｓ６（Ｒ６）を付した部分は、レンズ系の絞りＫを表している。
【００１６】
読取レンズ１は、物体側から順に、物体側に凸面を向けた正のメニスカスレンズＬ１（以下、単にレンズＬ１と記す。）と、像側に凹面を向けた負のメニスカスレンズＬ２（以下、単にレンズＬ２と記す。）とからなる接合レンズを含む第１レンズ群Ｇ１と、物体側に凸面を向けた正のメニスカスレンズＬ３（以下、単にレンズＬ３と記す。）を含む第２レンズ群Ｇ２と、絞りＫと、像側に凸面を向けた正のメニスカスレンズＬ４（以下、単にレンズＬ４と記す。）を含む第３レンズ群Ｇ３と、物体側に凹面を向けた負のメニスカスレンズＬ５（以下、単にレンズＬ５と記す。）と、像側に凸面を向けた正のメニスカスレンズＬ６（以下、単にレンズＬ６と記す。）とからなる全体として負の屈折力の接合レンズを含む第４レンズ群Ｇ４とが配設されて構成されている。ここで、絞りＫよりも物体側にある第１レンズ群Ｇ１および第２レンズ群Ｇ２をまとめて前群Ｇ１２とし、一方の絞りＫよりも像側にある第３レンズ群Ｇ３および第４レンズ群Ｇ４をまとめて後群Ｇ３４とする。
【００１７】
読取レンズ１は、レンズＬ１のｄ線に対する屈折率およびアッベ数をそれぞれｎ１，ν１とし、レンズＬ２のｄ線に対する屈折率およびアッベ数をそれぞれｎ２，ν２としたときに、以下の条件式（１），（２）を満足する。
【００１８】
０．９３＜ｎ１／ｎ２＜１．０８  ……（１）
１４．０＜ν１−ν２  ……（２）
【００１９】
ここで、条件式（１）および（２）によってもたらされる作用について説明する。条件式（１）および（２）は、色収差を良好に補正しつつ、接合面である面Ｓ２における曲率半径Ｒ２の自由度を確保するものである。すなわち、上記条件式（１）および（２）を満足することにより、曲率半径Ｒ２を自由に変化させた場合であっても、諸収差（特に色収差）の補正を良好に行うことが可能になる。条件式（１）または（２）の数値範囲から外れた場合には、収差補正が充分になされない。
【００２０】
さらに、読取レンズ１は、レンズＬ１の物体側の曲率半径をＲ１とし、レンズＬ２の像側の曲率半径をＲ３としたときに、以下の条件式（３）を満足する。
【００２１】
１．０５＜Ｒ１／Ｒ３＜１．３３  ……（３）
【００２２】
この条件式（３）は、第１レンズ群Ｇ１のペッツバール値が負の大きな値にならないように抑制することにより、全系のペッツバール和を適切な値に保つための条件を示す。条件式（３）の下限より小さい場合には、前群Ｇ１２の集束性が強くなり過ぎてしまい、後群Ｇ３４へ入射する軸上同族光線の光束径が小さくなり過ぎる。このため、全系のペッツバール和を適切な値に保つためには後群Ｇ３４での発散性を強くする必要があり、そのためには後群Ｇ３４における凹面の曲率半径を過度に小さくしなければならず、結果的に軸外コマ収差の補正が困難となってしまう。一方、条件式（３）の上限より大きい場合には、前群Ｇ１２の集束性が弱くなり過ぎてしまい、後群Ｇ３４へ入射する軸上同族光線の光束径が大きくなり過ぎる。このため、全系のペッツバール和を適切な値に保つためには後群Ｇ３４での発散性を弱くする必要があるが、そのためには後群Ｇ３４における凹面の曲率半径を過度に大きくしなければならず、やはり、軸外コマ収差の補正が困難となってしまう。
【００２３】
さらに、読取レンズ１は、第１レンズ群Ｇ１における最も像側の面Ｓ３から絞りＫまでの面間隔、すなわち面間隔Ｄ３〜Ｄ５の和をＤ３５、絞りＫから第４レンズ群Ｇ４における最も物体側の面Ｓ９までの面間隔すなわち面間隔Ｄ６〜Ｄ８の和をＤ６８としたときに、以下の条件式（４）を満足する。
【００２４】
０．７０＜（Ｄ３５）／（Ｄ６８）＜１．１１  ……（４）
【００２５】
この条件式（４）は、読取レンズ１における前群Ｇ１２と後群Ｇ３４との対称性を規定するものである。すなわち、前群Ｇ１２と後群Ｇ３４とが光束に対して互いに反対の作用を持ち、諸収差をバランスよく補正するための条件を示している。条件式（４）の数値範囲を外れると、前群Ｇ１２と後群Ｇ３４との対称性が崩れて互いに収差を打ち消しあう効果が小さくなってしまい、良好に収差補正を行うことが困難となる。
【００２６】
さらに、読取レンズ１は、第４レンズ群Ｇ４の焦点距離をｆ４、全系の焦点距離をｆとしたときに、以下の条件式（５）を満足する。
【００２７】
−２０．０＜ｆ４／ｆ＜−１．５  ……（５）
【００２８】
この条件式（５）を満足することにより、前群Ｇ１２において物体からの入射光束を集束する際に生じた収差が、後群Ｇ３４において適度に発散することにより良好に補正される。上限を上回ると後群Ｇ３４による補正が過剰となってしまうので、正の大きな球面収差が発生し、また、像面湾曲が正で増大する。一方、下限を下回ると後群Ｇ３４による補正が不足し、前群Ｇ１２によって生じた収差が十分に補正されなくなる。
【００２９】
さらに、読取レンズ１は、レンズＬ３の像側の曲率半径をＲ５、レンズＬ４の物体側の曲率半径をＲ７、倍率をＭ、実効ＦナンバーをＦｅとしたとき、以下の条件式（６）を満足する。
【００３０】
０．００８＜（Ｒ５／Ｒ７）・Ｍ／（Ｆｅ）２  ＜０．０２５  ……（６）
【００３１】
この条件式（６）は、全系のペッツバール和を適切な値に保ち、軸外のコマ収差を良好に補正するための条件を示す。前群Ｇ１２の最終面である面Ｓ５の曲率半径Ｒ５は、前群Ｇ１２の集束性を保つために適度に大きくなるほうが都合が良く、これと対向する面Ｓ７の曲率半径Ｒ７は、後群Ｇ３４に発散性を与えるため、適度に小さくなる方が都合が良いことを示している。また、結像の倍率Ｍや実効ＦナンバーＦｅによって面Ｓ５または面Ｓ７を通過する光線の高さは変化する。従って、曲率半径Ｒ５，Ｒ７は、この通過光線の高さの変化を考慮して決めることが望ましい。例えば、比較的明るいレンズの場合、曲率半径Ｒ５が大きすぎると軸外光線の下方コマのフレアが大きくなってしまう。これを補正するために、曲率半径Ｒ７を小さくすると、逆に上方コマ収差の補正が難しくなる。条件式（６）を満足することにより像面湾曲とコマ収差とをバランスよく補正することができる。条件式（６）の数値範囲を外れると、ペッツバール値が適切な値ではなくなり、像面湾曲の補正が不十分となる。さらに上限を上回る場合には、曲率半径Ｒ５が大きくなり過ぎたり、後群Ｇ３４の凹面の曲率半径が小さくなり過ぎたりするので、高次のコマ収差が発生しやすくなる。
【００３２】
さらに、読取レンズ１は、レンズＬ５の物体側の曲率半径をＲ９としたとき、以下の条件式（７）を満足する。
【００３３】
２．１＜Ｒ７／Ｒ９＜２．７  …（７）
【００３４】
この条件式（７）を満足することにより、前群Ｇ１２で発生した諸収差を後群Ｇ３４においてバランスよく補正することができる。すなわち、前群Ｇ１２で発生した大きな正のペッツバール値を適切な値に補正できると共に、軸外光線に対しては前群Ｇ１２で発生したコマ収差を打ち消すように補正しつつ後群Ｇ３４においてもコマ収差が発生しないよう抑制することが可能になる。条件式（７）の数値範囲を外れる場合には、特に高次のコマ収差が発生するので良好な性能が得られない。
【００３５】
また、読取レンズ１は、レンズＬ２の異常分散性およびレンズＬ５の異常分散性のうちの少なくとも一方が、下記の条件式（８）を満足するように構成されていることが望ましい。但し、δθｇ，Ｆ  は異常分散性であり、ｇ線、Ｆ線およびＣ線に対する屈折率をそれぞれｎｇ，ｎＦ，ｎＣとして、
θｇ，Ｆ  ＝（ｎｇ−ｎＦ）／（ｎＦ−ｎＣ）
で定義されるｇ線、Ｆ線の部分分散比θｇ，Ｆ  の基準線からの偏差を表す。ここで、基準線とは、例えば、ショット社の２つの硝材Ｋ７およびＦ２などの基準材料における部分分散比θｇ，Ｆ  を縦軸とし、アッベ数νｄを横軸としたグラフ上で、２つの硝材Ｋ７およびＦ２の各座標点を結ぶことによって得られる直線である。なお、ｇ線、Ｆ線およびＣ線の波長は、それぞれ約４３５．８ｎｍ，４８６．１ｎｍ，および６５６．３ｎｍである。
【００３６】
−０．０１００＜δθｇ，Ｆ  ＜０．００４０  ……（８）
【００３７】
さらに、また、読取レンズ１は、レンズＬ１における異常分散性およびレンズＬ６における異常分散性のうちの少なくとも一方が、下記の条件式（９）を満足するように構成されていることが望ましい。
【００３８】
−０．００２＜δθｇ，Ｆ  ＜０．０１５  ……（９）
【００３９】
ここで、条件式（８）および（９）によってもたらされる作用について説明する前に、異常分散性について、より詳細に説明する。一般に、例えば横軸にアッベ数ν、縦軸に部分分散比θをとってν対θのグラフを描くと、多くの硝材はグラフ上で所定の基準線に沿って分布するような特性を持つことが知られている。そして、その所定の基準線から離れた位置に分布している硝材ほど、異常分散性を有しているものとされている。
【００４０】
具体的には、例えば、ショット社の２つの硝材Ｋ７およびＦ２を正常な光学ガラスとして基準に選び、νｄ（ｄ線に対するアッベ数）対θｇ，Ｆ  （ｇ−Ｆ線に対する部分分散比）のグラフ上における２つの硝材Ｋ７およびＦ２の座標点を結ぶことによって基準線Ｌとする。この基準線Ｌ上におけるアッベ数νｄに対応する部分分散比θＬ  を、任意の硝材の部分分散比θｇ，Ｆ  から減じたものが部分分散比の偏差、すなわち、上記の任意の硝材における異常分散性を示す値δθｇ，Ｆ  とされる。
【００４１】
異常分散性δθｇ，Ｆ  は、各硝材メーカのカタログ等に記載された数値であり、それぞれの硝材における固有の値である。
【００４２】
次に、上述の条件式（８）および（９）について説明する。条件式（８），（９）は、特に色収差を良好に補正するための条件式である。すなわち、前群Ｇ１２と後群Ｇ３４とを構成するそれぞれの接合レンズにおける負のレンズＬ２，Ｌ５のうちの少なくとも１つに条件式（８）に示した範囲の異常分散性を有する硝材を使うことにより、適度な屈折力を与えることができるので色収差を良好に補正することができる。一方、前群Ｇ１２と後群Ｇ３４とを構成するそれぞれの接合レンズにおける正のレンズＬ１，Ｌ６のうちの少なくとも１つに条件式（９）に示した数値範囲の異常分散性を有する硝材を使うことにより、適度な屈折力を与えることができるので色収差を良好に補正することができる。特に、負のレンズＬ２，Ｌ５は、条件式（８）に示した数値範囲のうちの負の数値範囲において、より小さな値の異常分散性を有することによって色収差の２次スペクトルの補正をも良好に行うことができ、一方の正のレンズＬ１，Ｌ６は、条件式（９）に示した数値範囲のうちの正の数値範囲において、より大きな値の異常分散性を有することによって色収差の２次スペクトルの補正をも良好に行うことができ、より高解像の読取レンズ１を得ることができる。これらは、特に、縮小率の小さな結像倍率域において有効である。
【００４３】
条件式（８），（９）の条件を外れると、特に、色収差を良好に補正することが困難となり、高解像の性能を得ることが難しくなる。
【００４４】
以上のように構成された本実施の形態の読取レンズ１によれば、第１レンズ群Ｇ１および第２レンズ群Ｇ２を備えた前群Ｇ１２と、第３レンズ群Ｇ３および第４レンズ群Ｇ４を備えた後群Ｇ３４とを、絞りＫを挟んでほぼ対称となるように配置し、前群Ｇ１２に集束作用を持たせる一方で後群Ｇ３４に発散作用を持たせることにより全系のペッツバール値を適切な値となるように補正し、さらに、各構成要素の曲率半径や屈折率、あるいは焦点距離や面間隔に適切な値を与えることによって諸収差をバランスよく補正するようにしたので、コンパクト化を達成しつつ、画像の読み取りを行うのに適した光学性能を得ることができる。
【００４５】
【実施例】
次に、上記実施の形態に係る画像読取用レンズの具体的な数値実施例について説明する。
【００４６】
＜実施例１〜７＞
以下、第１〜第７の数値実施例（実施例１〜７）をまとめて説明する。
【００４７】
図３は、実施例１に係る画像読取用レンズに関する基本レンズデータを示している。図３には、実施例１に係る画像読取用レンズについての、面Ｓ１〜Ｓ１１のそれぞれの曲率半径Ｒ１〜Ｒ１１、面間隔（厚さ）Ｄ１〜Ｄ１０、屈折率ｎｄ１〜ｎｄ６、アッベ数νｄ１〜νｄ６および異常分散性δθｊ（ｊ＝１〜６）の値を示す。異常分散性δθｊは、物体側よりｊ番目のレンズにおける異常分散性δθｇ，Ｆ  を示す。曲率半径および面間隔の数値の単位はミリメートル（ｍｍ）である。曲率半径Ｒ１〜Ｒ１１の値が０の部分は、絞りＫを示す。同様に、実施例２〜７に係る画像読取用レンズに関する基本レンズデータを図４〜図９に示す。ここで、実施例３が、図２に示した断面構成と対応関係にある。なお、実施例３以外の実施例については、図２に示した断面構成とほぼ同様であるので、ここでは図示を省略する。また、図１０は、実施例１〜７に係る画像読取用レンズに関するデータとして、全系の焦点距離ｆ、実効ＦＮｏ．  、倍率Ｍ、第４レンズ群Ｇ４の焦点距離ｆ４および共役長（共役距離）をまとめて示したものである。焦点距離ｆ、焦点距離ｆ４および共役長の単位はミリメートル（ｍｍ）である。
【００４８】
図１１は、実施例１〜７に係る画像読取用レンズについて、上述の条件式（１）〜（９）に対応する値を示したものである。ここで、条件式（８）に対応する欄には、レンズＬ２，Ｌ５の異常分散性δθ２，δθ５のうち、条件式（８）を満足しているものを示している。同様に、条件式（９）に対応する欄には、レンズＬ１，Ｌ６の異常分散性δθ１，δθ６のうち、条件式（９）を満足しているものを示している。図１１に示したように、各実施例の画像読取用レンズは、いずれも条件式（１）〜（７）を全て満足している。但し、実施例１〜４は、いずれもレンズＬ５の異常分散性δθ５が条件式（８）を満たしており、特に、実施例３は、レンズＬ２の異常分散性δθ２も条件式（８）を満たしている。実施例５〜７は、いずれも異常分散性δθ２，δθ５が条件式（８）を満たしているうえ、レンズ６の異常分散性δθ６が条件式（９）を満たしている。特に、実施例５，７は、レンズ１の異常分散性δθ１も条件式（９）を満たしている。
【００４９】
図１２〜図１８は、各実施例についての諸収差、すなわち、球面収差、非点収差、ディストーション（歪曲収差）および倍率色収差を順に示している。球面収差はｄ線、ｇ線およびＣ線について示し、非点収差およびディストーションはｄ線について示し、倍率色収差はｇ線およびＣ線について示す。さらに、非点収差については、サジタル方向とタンジェンシャル方向とについて示す。また、「ω」は半画角を示す。
【００５０】
以上の各レンズデータおよび各収差図から明らかなように、各実施例において、物体側から順に、レンズＬ１とおよびレンズＬ２からなる接合レンズと、レンズＬ３と、絞りＫと、レンズＬ４と、レンズＬ５およびレンズＬ６からなる全体として負の屈折力の接合レンズとを配設し、さらに、条件式（１）ないし条件式（７）を満足するように構成したので、広い画角に亘って良好に収差補正がなされ、画像の読取を行うのに適した良好な性能を得ることができ、かつ、よりコンパクト化を図ることができた。
【００５１】
以上、実施の形態およびいくつかの実施例を挙げて本発明を説明したが、本発明は、上記実施の形態および各実施例に限定されず種々の変形実施が可能である。例えば、各レンズ成分の曲率半径、面間隔、屈折率およびアッベ数の値などは、上記各数値実施例で示した値に限定されず、他の値をとり得る。
【００５２】
また、上記実施の形態および実施例では、光源からの光を画像原稿などに投射し、その透過画像を読み取る透過原稿式の画像読取装置について説明したが、本発明はこれに限定されるものではなく、例えば、図１９に示したような反射原稿式の画像読取装置であってもよい。図１９に示した画像読取装置２０は、原稿載置台３と撮像素子４との間に読取レンズ１を配置し、原稿載置台３と読取レンズ１との間に照明装置７を設けるようにしたものである。光源７は、図１９に示したように、例えば棒状であり、原稿載置台３上を平行移動して原稿２を全面に亘って連続的に照らすようになっている。これにより、原稿２から反射した光が、読取レンズ１によって撮像素子４上に結像される。読取レンズ１を介して得られた原稿２の反射画像が、撮像素子４によって撮像されて読み取られる。また、光路の途中がミラー等で折り曲げられて、コンパクト化がなされるようにしてもよい。
【００５３】
【発明の効果】
以上説明したように、本発明の画像読取用レンズまたは画像読取装置によれば、物体側から順に、物体側に凸面を向けた正のメニスカスレンズと、像側に凹面を向けた負のメニスカスレンズとからなる接合レンズを含む第１レンズ群と、物体側に凸面を向けた正のメニスカスレンズを含む第２レンズ群と、絞りと、像側に凸面を向けた正のメニスカスレンズを含む第３レンズ群と、物体側に凹面を向けた負のメニスカスレンズと、像側に凸面を向けた正のメニスカスレンズとからなる全体として負の屈折力の接合レンズを含む第４レンズ群とを配設し、さらに、条件式（１）ないし条件式（７）を満足するように構成したので、諸収差をバランスよく補正しつつ、従来に比べてコンパクト化を図ることができる。よって、画像の読み取りを行うのに適した性能を得ることができる。
【００５４】
特に、第１レンズ群の負のメニスカスレンズの異常分散性および第４レンズ群の負のメニスカスレンズの異常分散性のうちの少なくとも一方が、条件式（８）を満足するように構成した場合、あるいは、第１レンズ群の正のメニスカスレンズの異常分散性および第４レンズ群の正のメニスカスレンズの異常分散性のうちの少なくとも一方が、条件式（９）を満足するように構成した場合には、色収差をより良好に補正することができる。
【図面の簡単な説明】
【図１】本発明の一実施の形態に係る画像読取装置の概略を示す構成図である。
【図２】本発明の一実施の形態に係る画像読取用レンズの構成を示すものであり、実施例３に対応するレンズ断面図である。
【図３】本発明の実施例１に係る画像読取用レンズのレンズデータのうち、基本的なデータを示す説明図である。
【図４】本発明の実施例２に係る画像読取用レンズのレンズデータのうち、基本的なデータを示す説明図である。
【図５】本発明の実施例３に係る画像読取用レンズのレンズデータのうち、基本的なデータを示す説明図である。
【図６】本発明の実施例４に係る画像読取用レンズのレンズデータのうち、基本的なデータを示す説明図である。
【図７】本発明の実施例５に係る画像読取用レンズのレンズデータのうち、基本的なデータを示す説明図である。
【図８】本発明の実施例６に係る画像読取用レンズのレンズデータのうち、基本的なデータを示す説明図である。
【図９】本発明の実施例７に係る画像読取用レンズのレンズデータのうち、基本的なデータを示す説明図である。
【図１０】本発明の実施例１〜７に係る画像読取用レンズのレンズデータのうち、他の基本的なデータを示す説明図である。
【図１１】本発明の実施例１〜７に係る画像読取用レンズのレンズデータのうち、条件式（１）〜（８）に対応するデータを示す説明図である。
【図１２】実施例１の画像読取用レンズについての球面収差、非点収差、ディストーション（歪曲収差）および倍率色収差を示す図である。
【図１３】実施例２の画像読取用レンズについての球面収差、非点収差、ディストーション（歪曲収差）および倍率色収差を示す図である。
【図１４】実施例３の画像読取用レンズについての球面収差、非点収差、ディストーション（歪曲収差）および倍率色収差を示す図である。
【図１５】実施例４の画像読取用レンズについての球面収差、非点収差、ディストーション（歪曲収差）および倍率色収差を示す図である。
【図１６】実施例５の画像読取用レンズについての球面収差、非点収差、ディストーション（歪曲収差）および倍率色収差を示す図である。
【図１７】実施例６の画像読取用レンズについての球面収差、非点収差、ディストーション（歪曲収差）および倍率色収差を示す図である。
【図１８】実施例７の画像読取用レンズについての球面収差、非点収差、ディストーション（歪曲収差）および倍率色収差を示す図である。
【図１９】本発明の一実施の形態に係る画像読取装置の変形例を示す構成図である。
【符号の説明】
Ｄ１〜Ｄ１０…面間隔、Ｌ１〜Ｌ６…レンズ、Ｋ…絞り、Ｐ…中心結像位置、Ｒ１〜Ｒ１１…曲率半径、Ｓｉｍｇ  …結像面、Ｚ１…光軸、１…読取レンズ、２…原稿、３…原稿載置台、４…撮像素子、５，６…光学素子、７…光源、１０，２０…画像読取装置。
【図１】
2005010197.tif 000003
【図２】
2005010197.tif 000004
【図３】
2005010197.tif 000005
【図４】
2005010197.tif 000006
【図５】
2005010197.tif 000007
【図６】
2005010197.tif 000008
【図７】
2005010197.tif 000009
【図８】
2005010197.tif 000010
【図９】
2005010197.tif 000011
【図１０】
2005010197.tif 000012
【図１１】
2005010197.tif 000013
【図１２】
2005010197.tif 000014
【図１３】
2005010197.tif 000015
【図１４】
2005010197.tif 000016
【図１５】
2005010197.tif 000017
【図１６】
2005010197.tif 000018
【図１７】
2005010197.tif 000019
【図１８】
2005010197.tif 000020
【図１９】
2005010197.tif 000021